(57)【要約】【課題】転写手段と所定の回転体との圧接状態が解除された状態において、扉部材を閉めることができる状態と、閉めることができない状態とを簡易な構成で選択することのできる画像形成装置を提供する。【解決手段】感光部材（感光体カートリッジ３Ｙ、３Ｍ、３Ｃ、３Ｂ）を着脱する際に、画像を転写させる転写手段（転写ベルト１００）と所定の回転体（転写ローラ１０１）との圧接状態を解除させる解除機構Ｋと、解除機構が備える回転軸２０と連結されて、圧接状態の解除を操作する解除レバーＬと、解除レバーを回動させた際に、動作可能位置Ｐ１、動作禁止位置Ｐ２、輸送位置Ｐ３の３箇所の何れかの位置で保持する案内手段（案内溝４）と、扉部材２に設けられ、解除レバーが動作禁止位置で保持された場合に、解除レバーの一部と干渉して扉部材の閉塞を妨げる突起部２ａとを備える。【選択図】図５
2010079141.tif 000002
【特許請求の範囲】
【請求項１】
感光部材を着脱する際に、画像を転写させる転写手段と所定の回転体との圧接状態を解除させる解除機構と、
該解除機構が備える回転軸と連結されて、前記圧接状態の解除を操作する解除レバーと、
該解除レバーを回動させた際に、動作可能位置、動作禁止位置、輸送位置の３箇所の何れかの位置で保持する案内手段と、
前記感光部材を着脱する際に開閉される扉部材と、
該扉部材に設けられ、前記解除レバーが前記動作禁止位置で保持された場合に、当該解除レバーの一部と干渉して当該扉部材の閉塞を妨げる突起部と、
を備えることを特徴とする画像形成装置。
【請求項２】
前記解除レバーは、
前記動作可能位置で保持された場合に前記圧接状態を保持した状態で前記回転軸との連結を維持し、
前記動作禁止位置で保持された場合に前記圧接状態を解除した状態で前記回転軸との連結を維持し、
前記輸送位置で保持された場合に前記圧接状態を解除した状態で前記回転軸との連結を解除する可変連結機構を備えることを特徴とする請求項１に記載の画像形成装置。
【請求項３】
前記可変連結機構は、
円周上に係合部を備えた前記回転軸の周面に摺接される摺動子と、
該摺動子を前記回転軸に付勢する付勢手段と、
前記動作可能位置および前記動作禁止位置において前記摺動子が前記回転軸の係合部と係合して連結されるように保持し、前記輸送位置において前記摺動子が前記回転軸の係合部から円周部に接触して移動可能な状態へ移行する規制部材と、
から構成されることを特徴とする請求項２に記載の画像形成装置。
【請求項４】
前記規制部材は、前記摺動子が前記回転軸の係合部と係合して連結される状態で前記摺動子と係合され、前記回転軸の係合部から円周部に接触して移動可能な状態で前記摺動子との係合が解除される突起部で構成されることを特徴とする請求項３に記載の画像形成装置。
【請求項５】
前記突起部は、前記解除レバーと一体的に形成されて前記摺動子との係合が解除される方向に揺動可能なツメ部の先端に設けられることを特徴とする請求項４に記載の画像形成装置。
【請求項６】
前記可変連結機構は、
前記回転軸の端部に形成される係合部と、
前記動作可能位置および前記動作禁止位置において前記係合部と係合して連結され、前記輸送位置において前記係合部との係合が解除されるように軸方向に進退可能に設けられる係合子と、
該係合子を前記回転軸の先端側に付勢する付勢手段と、
から構成されることを特徴とする請求項２に記載の画像形成装置。
【発明の詳細な説明】
【技術分野】
【０００１】
本発明は、画像形成装置に関するものである。
【背景技術】
【０００２】
プリンタ等の画像形成装置において、感光体カートリッジを着脱する際に、転写ベルトと所定のローラとの圧接状態（ニップ）を解除する解除機構（リトラクト機構）が設けられている。
【０００３】
また、解除機構が備える回転軸と連結されて、前記圧接状態の解除を操作する解除レバーが所定の位置に１個または２個程度設けられている。
【０００４】
ところで、解除レバーが解除位置にある場合には、転写ベルトと所定のローラとが離間状態にあって画像形成を実行できない。そのため、解除レバーが解除位置にある状態において、カバー（扉部材）に設けられた突起と解除レバーとが干渉してカバーが閉まらないように構成し、使用者等が誤って画像形成装置を動作させることがないようにしている。
【０００５】
一方で、画像形成装置の出荷時あるいは輸送時には、部品の変形や劣化等を防止するために、転写ベルトと所定のローラとの圧接状態を解除した状態で出荷したいという要望があるが、上記従来の構成ではカバーが閉まらず、輸送時に不安定な状態になる虞があった。
【０００６】
このような不具合を解消すべく、種々の技術が提案されている。
【０００７】
例えば、特開２００３−１６７４６９号公報では、加圧解除レバーが水平の位置では定着装置の定着ローラに加圧ローラが圧接し、レバーが傾斜した位置では該加圧が解除されるようにし、レバーが前記位置の場合に定着装置のメンテナンス用に設けた装置本体の扉を閉めても、扉に設けた干渉部材がレバーと干渉し、また扉の貫通穴に棒を差し込んで干渉部材を回動させるとレバーとの干渉が回避されるので、扉を完全に閉じることができる構成が開示されている。
【特許文献１】特開２００３−１６７４６９号公報
【発明の開示】
【発明が解決しようとする課題】
【０００８】
本発明は、転写手段と所定の回転体との圧接状態が解除された状態において、扉部材を閉めることができる状態と、閉めることができない状態とを簡易な構成で選択することのできる画像形成装置を提供することを目的とする。
【課題を解決するための手段】
【０００９】
前記課題を解決するため、請求項１の発明に係る画像形成装置は、感光部材を着脱する際に、画像を転写させる転写手段と所定の回転体との圧接状態を解除させる解除機構と、該解除機構が備える回転軸と連結されて、前記圧接状態の解除を操作する解除レバーと、該解除レバーを回動させた際に、動作可能位置、動作禁止位置、輸送位置の３箇所の何れかの位置で保持する案内手段と、前記感光部材を着脱する際に開閉される扉部材と、該扉部材に設けられ、前記解除レバーが前記動作禁止位置で保持された場合に、当該解除レバーの一部と干渉して当該扉部材の閉塞を妨げる突起部とを備えることを特徴とする。
【００１０】
請求項２の発明に係る画像形成装置は、請求項１に記載の発明について、前記解除レバーは、前記動作可能位置で保持された場合に前記圧接状態を保持した状態で前記回転軸との連結を維持し、前記動作禁止位置で保持された場合に前記圧接状態を解除した状態で前記回転軸との連結を維持し、前記輸送位置で保持された場合に前記圧接状態を解除した状態で前記回転軸との連結を解除する可変連結機構を備えることを特徴とする。
【００１１】
請求項３の発明に係る画像形成装置は、請求項２に記載の発明について、前記可変連結機構は、円周上に係合部を備えた前記回転軸の周面に摺接される摺動子と、該摺動子を前記回転軸に付勢する付勢手段と、前記動作可能位置および前記動作禁止位置において前記摺動子が前記回転軸の係合部と係合して連結されるように保持し、前記輸送位置において前記摺動子が前記回転軸の係合部から円周部に接触して移動可能な状態へ移行する規制部材とから構成されることを特徴とする。
【００１２】
請求項４の発明に係る画像形成装置は、請求項３に記載の発明について、前記規制部材は、前記摺動子が前記回転軸の係合部と係合して連結される状態で前記摺動子と係合され、前記回転軸の係合部から円周部に接触して移動可能な状態で前記摺動子との係合が解除される突起部で構成されることを特徴とする。
【００１３】
請求項５の発明に係る画像形成装置は、請求項３に記載の発明について、請求項４に記載の発明について、前記突起部は、前記解除レバーと一体的に形成されて前記摺動子との係合が解除される方向に揺動可能なツメ部の先端に設けられることを特徴とする。
【００１４】
請求項６の発明に係る画像形成装置は、請求項２に記載の発明について、前記可変連結機構は、前記回転軸の端部に形成される係合部と、前記動作可能位置および前記動作禁止位置において前記係合部と係合して連結され、前記輸送位置において前記係合部との係合が解除されるように軸方向に進退可能に設けられる係合子と、該係合子を前記回転軸の先端側に付勢する付勢手段とから構成されることを特徴とする。
【発明の効果】
【００１５】
本発明によれば以下の効果を奏することができる。
【００１６】
すなわち、請求項１に記載の発明によれば、本構成を有していない場合に比較して、解除レバーが動作禁止位置で保持される場合に、扉部材が閉まらないようにしても、輸送位置では扉部材を閉めることができる。
【００１７】
請求項２に記載の発明によれば、本構成を有していない場合に比較して、簡易な構成で解除機構の回転軸と解除レバーとの連結を維持、解除することができる。
【００１８】
請求項３に記載の発明によれば、本構成を有していない場合に比較して、簡易な構成で解除機構の回転軸と解除レバーとの連結の維持、解除を実現することができる。
【００１９】
請求項４に記載の発明によれば、本構成を有していない場合に比較して、より簡易な構成で解除機構の回転軸と解除レバーとの連結の維持、解除を実現することができる。
【００２０】
請求項５に記載の発明によれば、本構成を有していない場合に比較して、より簡易且つ安価な構成で解除機構の回転軸と解除レバーとの連結の維持、解除を実現することができる。
【００２１】
請求項６に記載の発明によれば、本構成を有していない場合に比較して、簡易な構成で解除機構の回転軸と解除レバーとの連結の維持、解除を実現することができる。
【発明を実施するための最良の形態】
【００２２】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２３】
（第１の実施の形態）
【００２４】
図１から図８を参照して、本発明についての第１の実施の形態に係る画像形成装置としてのプリンタＰＲ１について説明する。
【００２５】
特には限定されないが、本実施の形態の示す画像形成装置としてのプリンタＰＲ１は、フルカラープリンタであるものとする。
【００２６】
フルカラープリンタは、例えば、パーソナルコンピュータやスキャナ等から送られてくる画像データに基づいて、イエロー（Ｙ）、マゼンタ（Ｍ）、シアン（Ｃ）、ブラック（Ｂ）の４色のトナーを用いて印刷動作を実行するように構成されている。
【００２７】
図１を参照して、プリンタＰＲ１の概略構成について説明する。なお、プリンタＰＲ１の構成において、本発明と関係のない部分については説明を省略する。
【００２８】
プリンタＰＲ１は、樹脂製の筐体１内に、記録媒体としての印刷用紙の格納部、印刷用紙の搬送機構、印刷用紙に対して画像形成を行う画像形成ユニット等が収納されている。
【００２９】
ここで、画像形成ユニットは、イエロー（Ｙ）、マゼンタ（Ｍ）、シアン（Ｃ）、ブラック（Ｂ）の各色のトナー像を形成する４つの画像形成部を備えている。
【００３０】
４つの画像形成部は、形成する画像の色以外はすべて同様に構成されており、所定の回転速度で回転する感光体ドラム（感光部材：感光体カートリッジ３００Ｙ、３００Ｍ、３００Ｃ、３００Ｂ）と、この感光体ドラムの表面を一様に帯電する一次帯電用の帯電ローラと、当該感光体ドラムの表面に各色に対応した画像を露光して静電潜像を形成する露光装置と、感光体ドラム上に形成された静電潜像を対応する色のトナーで現像する現像装置と、感光体ドラム上に残留した転写残トナーをクリーニングするクリーニング装置と、現像装置にトナーを補給するトナー補給装置等から構成されている。
【００３１】
なお、感光体カートリッジ３００Ｙ、３００Ｍ、３００Ｃ、３００Ｂの上方には、トナーカートリッジ３Ｙ、３Ｍ、３Ｃ、３Ｂが着脱可能に設けられている。
【００３２】
現像装置は、例えば内部に収容された二成分または一成分の現像剤を攪拌しつつ現像ローラへと供給し、当該現像ローラに供給された現像剤の層厚を規制しながら、感光体ドラムと対向する現像領域へと搬送し、当該感光体ドラムの表面に形成された静電潜像を所定の色のトナーで現像するように構成されている。
【００３３】
また、筐体１の内部には、制御ユニットが配設されており、この制御ユニットには、例えば、画像データに対して所定の画像処理を施す画像処理装置が設けられている。
【００３４】
この画像処理装置からは、露光装置にイエロー（Ｙ）、マゼンタ（Ｍ）、シアン（Ｃ）、ブラック（Ｂ）の各色の画像データが順次出力され、この露光装置から画像データに応じて出射される４本のレーザービームが、それぞれの感光体ドラム上に走査露光されて静電潜像が形成される。
【００３５】
各感光体ドラム上に形成された静電潜像は、現像装置によって、それぞれイエロー（Ｙ）、マゼンタ（Ｍ）、シアン（Ｃ）、ブラック（Ｂ）の各色のトナー像として現像されるようになっている。
【００３６】
一方、筐体１の一側面（図１では正面側の面）には、手動で開閉可能な扉部材（カバー）２が設けられている。
【００３７】
また、扉部材２の裏面側には、後述するレバー部材Ｌの一部に当たって、扉部材２の筐体１側への閉塞を妨げる２個の突起部２ａが設けられている。
【００３８】
なお、突起部２ａは、２個設けられる場合に限らず、扉部材２の大きさ等に応じて、１個でもよいし、３個以上設けるようにしてもよい。
【００３９】
扉部材２を開放した状態において露出される筐体１の開放部Ｓには、種々の部材や装置が配置されている。
【００４０】
例えば、開放部Ｓを介して着脱される４色の感光体カートリッジ３００Ｙ、３００Ｍ、３００Ｃ、３００Ｂと、画像を転写させる転写手段（転写ベルト１００：図３参照）と所定の回転体（転写ローラ１０１：図３参照）との圧接状態を解除させる解除機構Ｋ（図３参照）と、解除機構Ｋが備える回転軸２０（図４等参照）と連結されて圧接状態の解除を操作する解除レバーＬ等が設けられている。
【００４１】
解除レバーＬの構成を説明する前に、図３を参照して解除機構Ｋの概略構成について説明する。
【００４２】
転写ベルト１００と転写ローラ１０１は、画像形成を実行する際には圧接（ニップ）された状態とする必要があるが、プリンタＰＲ１自体の輸送時や感光体カートリッジ３００Ｙ、３００Ｍ、３００Ｃ、３００Ｂを交換する際には、部材の損傷等を防ぐために前記圧接状態を解除する必要がある。
【００４３】
そこで、図３に示すように、回動可能なカム部材１０３により圧接部材１０２を昇降させて転写ベルト１００と転写ローラ１０１とを圧接させたり、解除させたりする解除機構Ｋが設けられている。
【００４４】
即ち、図３において、解除レバーＬの操作によって回転軸２０が矢印Ａ方向に回動されてカム部材１０３が実線状態となった場合には、圧接部材１０２が押し上げられて転写ベルト１００と転写ローラ１０１とを圧接状態に保持する。
【００４５】
一方、解除レバーＬの操作によって回転軸２０が矢印Ｂ方向に回動されてカム部材１０３が破線状態となった場合には、圧接部材１０２が降下されて転写ベルト１００と転写ローラ１０１との圧接状態が解除される。
【００４６】
なお、圧接部材１０２は、バネ１０４によって降下する方向に付勢されるようにしてもよい。
【００４７】
次に、図４から図８を参照して、解除レバーＬの構成および作用について説明する。
【００４８】
図４に示すように、解除レバーＬは、例えば樹脂成形された長さ約１０ｃｍ、幅約１ｃｍ、高さ約１ｃｍのレバー本体１０が、前記解除機構Ｋの回転軸２０に後述する可変連結機構Ｊ１を介して連結され、案内溝（案内手段）４に沿って矢印Ｃ方向に回動できるようになっている。
【００４９】
ここで、案内溝４は、図６に示すように、解除レバーＬを回動させた際に、動作可能位置Ｐ１と、動作禁止位置Ｐ２と、輸送位置Ｐ３の３箇所の何れかの位置で保持するようになっている。
【００５０】
ここで、動作可能位置Ｐ１とはプリンタＰＲ１が印刷処理を行うことが可能状態の位置をいい、動作禁止位置Ｐ２とはプリンタＰＲ１の感光体カートリッジ３００Ｙ、３００Ｍ、３００Ｃ、３００Ｂ等の交換作業をしたり、メンテナンス作業を行うために印刷処理を行うことができない状態の位置をいい、輸送位置Ｐ３とはプリンタＰＲ１の出荷時等において装置自身を輸送する状態の位置をいう。
【００５１】
なお、図６に示すように、レバー本体１０の下面側には案内溝４に嵌って案内される案内子１０ｅが形成されている。
【００５２】
また、特には限定されないが、解除レバーＬを回動させた際に、動作可能位置Ｐ１、動作禁止位置Ｐ２、輸送位置Ｐ３のそれぞれの位置で、操作者にクリック感を感じさせて、各位置への停止を確実に行わせるように、各位置において案内子１０ｅが軽く嵌る嵌合部４ａ〜ｃを形成するようにしてもよい。
【００５３】
また、前述の扉部材２の筐体１側への閉塞を妨げる突起部２ａは、解除レバーＬが前記動作禁止位置Ｐ２で保持された場合に、解除レバーＬの一部と干渉して扉部材２の閉塞を妨げるようになっている。
【００５４】
次に、可変連結機構Ｊ１について説明する。
【００５５】
まず、解除機構Ｋの回転軸２０の先端部２０ａは、図４の（ｂ）等に示すように、断面がＤ字状に成形されている。
【００５６】
図４の（ｂ）に示すように、レバー本体１０と解除機構Ｋの回転軸２０とを連結解除可能に接続する可変連結機構Ｊ１は、回転軸２０の先端部２０ａの周面に摺接される摺動子１１と、摺動子１１を回転軸２０の先端部２０ａに対して付勢するスプリング（付勢手段）１２と、前記動作可能位置Ｐ１および前記動作禁止位置Ｐ２において摺動子１１が回転軸２０の先端部２０ａの平坦部２０ａ１と接触して連結されるように保持し、前記輸送位置Ｐ３において摺動子１１が回転軸２０の先端部２０ａの平坦部２０ａ１から円周部２０ａ２に接触して移動可能な状態へ移行する規制部材としての固定爪１０ｂとから構成されている。
【００５７】
図５は、図４の（ｂ）におけるＡ−Ａ断面図である。図５に示すように、摺動子１１は、レバー本体１０内に形成される２つの壁部１０ｃで仕切られる溝１０ｆに沿って移動可能に保持されている。なお、スプリング１２も溝１０ｆ内に収容されている。
【００５８】
以上の構成により、解除レバーＬは、図４に示すように、動作可能位置Ｐ１において、転写ベルト１００と転写ローラ１０１とは圧接状態で保持され、且つ、突起部２ａと解除レバーＬとは干渉せずに扉部材２は閉塞可能な状態となる。
【００５９】
即ち、動作可能位置Ｐ１において、図３に示すように、回転軸２０は矢印Ａ方向に回動されてカム部材１０３が実線状態で保持され、圧接部材１０２が押し上げられて転写ベルト１００と転写ローラ１０１とを圧接状態に保持する。
【００６０】
これにより、プリンタＰＲ１は、扉部材２が閉塞され、転写ベルト１００と転写ローラ１０１とが圧接状態とされて、印刷処理が可能な状態となる。
【００６１】
また、図７の（ａ）に示すように、動作禁止位置Ｐ２において、転写ベルト１００と転写ローラ１０１とは圧接状態が解除され、且つ、突起部２ａと解除レバーＬとが干渉して扉部材２は閉塞できない状態となる。
【００６２】
即ち、動作禁止位置Ｐ２において、図７の（ｂ）に示すように、回転軸２０の先端部２０ａのＤ字形の平坦部２０ａ１と摺動子１１が係合して、図３に示すように矢印Ｂ方向に回動されてカム部材１０３が破線状態で保持され、圧接部材１０２が降下されて転写ベルト１００と転写ローラ１０１との圧接状態が解除される。
【００６３】
なお、図７の（ｂ）のＢ−Ｂ断面図である図７の（ｃ）に示すように、この状態において、解除レバーＬの固定爪１０ｂの突起部１０ｂ１は、摺動子１１の後端部と接触して、摺動子１１と回転軸２０との連結を保持する。
【００６４】
これにより、プリンタＰＲ１は、扉部材２は閉塞できない状態とされ、転写ベルト１００と転写ローラ１０１との圧接状態が解除されて、感光体カートリッジ３００Ｙ、３００Ｍ、３００Ｃ、３００Ｂ等の交換作業をしたり、メンテナンス作業を行うことができる状態となる。
【００６５】
また、図８の（ａ）に示すように、輸送位置Ｐ３において、転写ベルト１００と転写ローラ１０１とは圧接状態が解除され、且つ、突起部２ａと解除レバーＬとは干渉せずに扉部材２は閉塞できる状態となる。
【００６６】
即ち、輸送位置Ｐ３において、図８の（ｂ）に示すように、回転軸２０の先端部２０ａのＤ字形の平坦部２０ａ１と摺動子１１の係合が解除され、円周部２０ａ２によって摺動子１１がスプリング１２の付勢力に抗して押し上げられた状態となる。
【００６７】
この状態において、図３に示すようにカム部材１０３が破線状態で保持され、圧接部材１０２が降下されて転写ベルト１００と転写ローラ１０１との圧接状態が解除された状態が保持される。
【００６８】
なお、図８の（ｂ）のＣ−Ｃ断面図である図８の（ｃ）に示すように、この状態において、解除レバーＬの固定爪１０ｂは、例えばマイナスドライバーの先端を用いるなどして変位され、突起部１０ｂ１の摺動子１１の後端部との接触が解除され、摺動子１１と回転軸２０との連結が解除される。従って、解除レバーＬを矢印Ｃ方向に回動させると回動軸２０は回動されることなく、レバー自体のみが移動される。
【００６９】
これにより、プリンタＰＲ１は、扉部材２は閉塞され、且つ転写ベルト１００と転写ローラ１０１との圧接状態が解除されて、部材等の破損を抑制した状態で輸送される。
【００７０】
（第２の実施の形態）
【００７１】
図９から図１２を参照して、本発明についての第２の実施の形態に係る画像形成装置としてのプリンタＰＲ２について説明する。
【００７２】
なお、プリンタＰＲ２の全体構成は、図１および図２に示す第１の実施の形態に係るプリンタＰＲ１と同様であるので、重複した説明は省略する。また、同一構成には同一符号を付すものとする。
【００７３】
プリンタＰＲ２が、プリンタＰＲ１と異なる点は、解除レバーＬが可変連結機構Ｊ１に代えて可変連結機構Ｊ２を備える点である。
【００７４】
本実施の形態における可変連結機構Ｊ２は、図９に示すように、解除機構Ｋの回転軸２０のＤ字形の先端部２０ａに対して、軸の長手方向に変位して接続状態と解除状態に変更可能な係合子３０と、この係合子３０を回転軸２０の先端部２０ａに対して付勢するスプリング４０とを備えている。
【００７５】
即ち、図１０に示すように、解除レバーＬの一端部に、係合子３０とスプリング４０を収容する収容部５０が形成され、係合子３０の上方と下方に形成される突起部３０ａ、３０ｂが、収容部５０の上方と下方に形成される溝５０ａ、５０ｂにそれぞれ移動可能に通されて、回転軸２０の長手方向に変位可能な状態とされる。
【００７６】
回転軸２０の先端付近には括れ部２１が形成され、先端部２０ａが解除レバーＬの収容部５０に挿入された状態で、係止部材５２が括れ部２１に嵌った状態で、係止部材５２が係合部５１と係合して、回転軸２０が解除レバーＬに保持されるようになっている。
【００７７】
次に、図１１と図１２を参照して、可変連結機構Ｊ２の動作について説明する。
【００７８】
解除レバーＬは、動作可能位置Ｐ１および動作禁止位置Ｐ２において、図１１に示すように、回転軸２０の先端部２０ａと係合子３０が係合された状態とされる。
【００７９】
これにより、動作可能位置Ｐ１において、転写ベルト１００と転写ローラ１０１とは圧接状態で保持され、且つ、突起部２ａと解除レバーＬとは干渉せずに扉部材２は閉塞可能な状態となる。
【００８０】
また、回転軸２０の先端部２０ａと係合子３０が係合された状態で解除レバーＬを回動させた動作禁止位置Ｐ２において、転写ベルト１００と転写ローラ１０１とは圧接状態が解除され、且つ、突起部２ａと解除レバーＬとが干渉して扉部材２は閉塞できない状態となる。
【００８１】
一方、図１２に示すように、係合子３０の下方の突起部３０ｂを手動で矢印Ｅ方向に移動させた状態で、解除レバーＬを回動させることにより、回転軸２０の先端部２０ａと係合子３０の係合が解除される。
【００８２】
これにより、輸送位置Ｐ３において、転写ベルト１００と転写ローラ１０１とは圧接状態が解除され、且つ、突起部２ａと解除レバーＬとは干渉せずに扉部材２は閉塞できる状態となる。
【００８３】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【産業上の利用可能性】
【００８４】
本発明による画像形成装置は、複写装置、レーザプリンタ、フルカラープリンタ、複合機、ファクシミリ装置等に適用することができる。
【図面の簡単な説明】
【００８５】
【図１】第１の実施の形態に係るプリンタＰＲ１の概略構成を示す斜視図である。
【図２】第１の実施の形態に係るプリンタＰＲ１の要部を示す正面図である。
【図３】第１の実施の形態に係るプリンタＰＲ１における解除機構Ｋの概略構成を示す説明図である。
【図４】動作可能位置Ｐ１における解除レバーＬの状態を示す説明図である。
【図５】解除レバーＬのＡ−Ａ断面図である。
【図６】案内溝４の構成例を示す説明図である。
【図７】動作禁止位置Ｐ２における解除レバーＬの状態を示す説明図である。
【図８】輸送位置Ｐ３における解除レバーＬの状態を示す説明図である。
【図９】第２の実施の形態に係るプリンタＰＲ２における可変連結機構Ｊ２の概略構成を示す斜視図である。
【図１０】第２の実施の形態に係るプリンタＰＲ２における解除レバーＬの概略構成を示す分解斜視図である。
【図１１】第２の実施の形態に係るプリンタＰＲ２における可変連結機構Ｊ２の動作を示す説明図である。
【図１２】第２の実施の形態に係るプリンタＰＲ２における可変連結機構Ｊ２の動作を示す説明図である。
【符号の説明】
【００８６】
ＰＲ１，ＰＲ２  プリンタ（画像形成装置）
１  筐体
２  扉部材
２ａ  突起部
３Ｙ、３Ｍ、３Ｃ、３Ｂ  トナーカートリッジ
４  案内溝（案内手段）
４ａ〜ｃ  嵌合部
１０  レバー本体
１０ｂ  固定爪（規制部材、ツメ部）
１０ｂ１  突起部
１０ｃ  壁部
１０ｅ  案内子
１０ｆ  溝
１１  摺動子
１２  スプリング（付勢手段）
２０  回転軸
２０ａ  先端部
２０ａ１  平坦部
２０ａ２  円周部
３０  係合子
３０ａ  突起部
３０ｂ  突起部（規制部材、ツメ部）
４０  スプリング（付勢手段）
５０  収容部
５０ａ  溝
５１  係合部
５２  係止部材
Ｋ  解除機構
１００  転写ベルト（転写手段）
１０１  転写ローラ（所定の回転体）
１０２  圧接部材
１０３  カム部材
１０４  バネ
３００Ｙ、３００Ｍ、３００Ｃ、３００Ｂ  感光体カートリッジ（感光部材）
Ｊ１、Ｊ２  可変連結機構
Ｌ  解除レバー
Ｐ１  動作可能位置
Ｐ２  動作禁止位置
Ｐ３  輸送位置
Ｓ  開放部
【図１】
2010079141.tif 000003
【図２】
2010079141.tif 000004
【図３】
2010079141.tif 000005
【図４】
2010079141.tif 000006
【図５】
2010079141.tif 000007
【図６】
2010079141.tif 000008
【図７】
2010079141.tif 000009
【図８】
2010079141.tif 000010
【図９】
2010079141.tif 000011
【図１０】
2010079141.tif 000012
【図１１】
2010079141.tif 000013
【図１２】
2010079141.tif 000014